(57)【要約】【課題】  躯体壁の外側に断熱材を介して外装材が取り付けられる外断熱工法のコンクリート建物において外装材を支持する金物であって、躯体壁面に対する外装材受桟の不陸調整が容易で施工性に優れた外装材支持金物を提供する。【解決手段】  外装材支持金物は、先端部が雄螺子に形成された支持棒（１）と、当該支持棒の先端部に支持される外装材受桟（２）と、支持棒（１）の先端部に外装材受桟（２）を固定する不陸調整用ナット（３）及び締付ナット（４）とを備えている。外装材受桟（２）は、支持棒挿通穴（２ｐ）が設けられた支持棒取付部（２１）と、外装材受部（２２）とを有し、不陸調整用ナット（３）は、外装材受桟受止め用の鍔（３１）と、締付ナット螺着用の雄螺子部（３２）と、操作用の面取構造部（３３）とを有しており、外装材受桟（２）は、表側から不陸調整され且つ固定される。【選択図】  図３
2006097455.tif 000002
【特許請求の範囲】
【請求項１】
躯体壁の外側に断熱材を介して外装材が取り付けられる外断熱工法のコンクリート建物において前記外装材を支持する外装材支持金物であって、先端部が雄螺子に形成され且つ躯体壁面に対して上下および左右に一定間隔で配列されて略垂直に固定される多数の支持棒と、躯体壁面に対して左右に一定間隔で配列され且つ躯体壁面から断熱材の厚さに相当する間隔を隔てて前記支持棒の先端部に支持される多数の外装材受桟と、躯体壁面からの間隔を調整して前記支持棒の先端部に前記外装材受桟を固定するための不陸調整用ナット及び締付ナットとを備え、前記外装材受桟は、前記支持棒の先端部を挿通可能な支持棒挿通穴が設けられた支持棒取付部と、正面視した場合に前記支持棒挿通穴と重畳しない位置に設けられて表側に外装材が装着される外装材受部とを有し、前記不陸調整用ナットは、前記支持棒挿通穴を通過しない大きさで当該不陸調整用ナットの基端部に形成された外装材受桟受止め用の鍔と、前記支持棒挿通穴を通過する大きさで前記鍔の表側に隣接して当該不陸調整用ナットの外周部に形成された締付ナット螺着用の雄螺子部と、前記支持棒挿通穴を通過する大きさで当該不陸調整用ナットの先端部に形成された操作用の面取構造部とを有していることを特徴とする外装材支持金物。
【請求項２】
支持棒の基端部から当該支持棒の先端側の外装材受桟に亙って傾斜状態に架設される補強バーを備えている請求項１に記載の外装材支持金物。
【請求項３】
少なくとも１つの外装材受桟から躯体壁面に亙って略水平で且つ躯体壁面に対して傾斜状態に架設される横振れ防止バーを備えている請求項１又は２に記載の外装材支持金物。
【請求項４】
躯体壁の外側に断熱材を介して外装材が取り付けられる外断熱工法のコンクリート建物において前記外装材を支持する外装材支持金物であって、先端部が雄螺子に形成され且つ躯体壁面に対して上下および左右に一定間隔で配列されて略垂直に固定される多数の支持棒と、躯体壁面に対して左右に一定間隔で配列され且つ躯体壁面から断熱材の厚さに相当する間隔を隔てて前記支持棒の先端部に支持される多数の外装材受桟と、躯体壁面からの間隔を調整して前記支持棒の先端部に前記外装材受桟を固定するための不陸調整用ナット及び締付ナットとを備え、前記外装材受桟は、前記支持棒の先端部を挿通可能な支持棒挿通穴が設けられた支持棒取付部と、正面視した場合に前記支持棒挿通穴と重畳しない位置に設けられて表側に外装材が装着される外装材受部とを有し、前記不陸調整用ナットは、支持棒取付部の幅よりも大きな外径で当該不陸調整用ナットの先端部に形成された操作用で且つ外装材受桟受止め用の鍔を有していることを特徴とする外装材支持金物。
【請求項５】
支持棒の基端部から当該支持棒の先端側の外装材受桟に亙って傾斜状態に架設される補強バーを備えている請求項４に記載の外装材支持金物。
【請求項６】
少なくとも１つの外装材受桟から躯体壁面に亙って略水平で且つ躯体壁面に対して傾斜状態に架設される横振れ防止バーを備えている請求項４又は５に記載の外装材支持金物。
【発明の詳細な説明】
【技術分野】
【０００１】
本発明は、外断熱工法のコンクリート建物における外装材支持金物に関するものであり、詳しくは、躯体壁の外側に断熱材を介して外装材を取り付けるための外装材支持金物であって、躯体壁面に対する外装材受桟の不陸調整が極めて容易な外装材支持金物に関するものである。
【背景技術】
【０００２】
周知の通り、外断熱工法によるコンクリート建物は、躯体壁の外側に断熱材を介して外装材が取り付けられ、蓄熱体であるコンクリート躯体と外気との間の熱移動を断熱材によって少なくすることにより、建物内部を一定の温度環境に保持する様にしたものである。上記の建物においては、断熱材を保護するための外装材が前記断熱材の厚さ分だけ躯体壁面から離間した状態で取り付けられるが、耐荷重性能、施工性、コスト等を考慮して各種の外装材支持金物が使用される。
【０００３】
上記の外装材支持金物としては、例えば、躯体壁面に対して上下および左右に一定間隔で配列され且つ躯体壁面に対して略垂直に固定される多数の支持棒と、躯体壁面に対して左右に一定間隔で配列され且つ躯体壁面から断熱材の厚さに相当する間隔を隔てて前記支持棒の先端部に支持される多数の外装材受桟（外装材取付枠）と、支持棒の基端部から当該支持棒の先端側の外装材受桟に亙って傾斜状態に架設される補強バー（補強部）とから構成された金物が「外装材取付金具」として提案されており（特許文献１参照）、また、「外装材取付装置」として提案されている（特許文献２参照）。
【０００４】
上記の外装材支持金物において、外装材受桟としては、支持棒の先端部を挿通可能な穴が一定のピッチで設けられた角パイプが使用され、前記の穴は、パイプ裏面側は支持棒の先端部だけを挿通可能な大きさの小径穴に形成され、パイプ表面側はナットが通過する大きさの大径穴に形成されている。そして、外装材受桟として上記の角パイプを躯体壁に取り付けるには、躯体壁面にアンカー固定された支持棒の先端部に予め内ナットを螺着した後、角パイプの表裏の穴に支持棒の先端部を相対的に貫通させることにより角パイプの裏面を内ナットに突き当て、次いで、外ナットを支持棒の先端部に螺着し且つパイプ表面の大径穴を通過させてパイプ内面を締め付けることにより、前記支持棒の先端部に角パイプを固定する。
【０００５】
なお、上記の様なコンクリート建物において、断熱材は、躯体壁面にアンカー固定された外装材支持金物の支持棒に突き刺す様にして取り付けた後、支持棒の先端部に外装材受桟を取り付けることにより、外装材受桟と躯体壁面との間に挟み込まれる状態に配置される。そして、外装材は、外装材支持金物の外装材受桟に表側から螺子固定される。
【特許文献１】特公平８−１６３８６号公報
【特許文献２】特開２００４−３３５３号公報
【発明の開示】
【発明が解決しようとする課題】
【０００６】
ところで、コンクリート建物の躯体壁面は、厳密には平坦面ではなく、僅かにうねりがあるため、外装材を面一に貼付けるためには、躯体壁面に対する外装材支持金物の外装材受桟の不陸調整、すなわち、外装材受桟の躯体壁面からの離間距離の調整を行い、各外装材受桟を一つの仮想平面上に配置する必要がある。
【０００７】
しかしながら、上記の様な外装材支持金物において、外装材受桟の不陸調整は、支持棒
の先端部に予め螺着した内ナットの位置を調整することにより行われるが、外装材受桟の裏側で内ナットが断熱材に埋没しているため、断熱材中に差し込む様に手先を外装材受桟の裏側に回し込み、手探りで内ナットを操作しなければならず、施工性が極めて悪いと言う問題がある。また、支持棒の先端部に外装材受桟を固定する場合、外ナットをパイプ表面の大径穴の内部で締め付けなければならないため、ボックスレンチ等の専用工具が必要であり、施工性にも欠ける。
【０００８】
本発明は、上記の実情に鑑みなされたものであり、その目的は、躯体壁の外側に断熱材を介して外装材が取り付けられる外断熱工法のコンクリート建物において前記外装材を支持する外装材支持金物であって、躯体壁面に対する外装材受桟の不陸調整ならびに支持棒に対する外装材受桟の固定が容易で施工性に優れた外装材支持金物を提供することにある。
【課題を解決するための手段】
【０００９】
上記の課題を解決するため、本発明の第１の態様では、先端部が雄螺子に形成され且つ躯体壁面に対して上下および左右に一定間隔で配列されて略垂直に固定される多数の支持棒と、躯体壁面に対して左右に一定間隔で配列され且つ躯体壁面から断熱材の厚さに相当する間隔を隔てて支持棒の先端部に支持される多数の外装材受桟と、躯体壁面からの間隔を調整して支持棒の先端部に外装材受桟を固定するための不陸調整用ナット及び締付ナットとを備えた外装材支持金物において、外装材受桟として、支持棒の先端部を挿通可能な支持棒挿通穴が設けられた支持棒取付部と、正面視した場合に支持棒挿通穴と重畳しない位置に設けられて表側に外装材が装着される外装材受部とを有する桟を採用し、しかも、不陸調整用ナットとして、支持棒挿通穴を通過しない大きさで当該不陸調整用ナットの基端部に形成された外装材受桟受止め用の鍔と、支持棒挿通穴を通過する大きさで鍔の表側に隣接して当該不陸調整用ナットの外周部に形成された締付ナット螺着用の雄螺子部と、支持棒挿通穴を通過する大きさで当該不陸調整用ナットの先端部に形成された操作用の面取構造部とを有する特定の構造のナットを使用することにより、支持棒の先端部に外装材受桟を固定するにあたり、支持棒の先端部に不陸調整用ナットを螺着し、支持棒挿通穴に支持棒の先端部を相対的に挿通し、外装材受桟の支持棒取付部の支持棒挿通穴から表側に露出する不陸調整用ナットの面取構造部を操作して躯体壁面に対する外装材受桟の不陸調整を行い、そして、支持棒挿通穴から表側に露出する不陸調整用ナットの雄螺子部に締付ナットを螺着して鍔に支持棒取付部を締め付ける様にした。
【００１０】
また、本発明の第２の態様では、先端部が雄螺子に形成され且つ躯体壁面に対して上下および左右に一定間隔で配列されて略垂直に固定される多数の支持棒と、躯体壁面に対して左右に一定間隔で配列され且つ躯体壁面から断熱材の厚さに相当する間隔を隔てて前記支持棒の先端部に支持される多数の外装材受桟と、躯体壁面からの間隔を調整して前記支持棒の先端部に前記外装材受桟を固定するための不陸調整用ナット及び締付ナットとを備えた外装材支持金物において、外装材受桟として、前記支持棒の先端部を挿通可能な支持棒挿通穴が設けられた支持棒取付部と、正面視した場合に前記支持棒挿通穴と重畳しない位置に設けられて表側に外装材が装着される外装材受部とを有する桟を採用し、しかも、不陸調整用ナットとして、支持棒取付部の幅よりも大きな外径で当該不陸調整用ナットの先端部に形成された操作用で且つ外装材受桟受止め用の鍔を有する特定の構造のナットを使用することにより、支持棒の先端部に外装材受桟を固定するにあたり、支持棒の先端部に不陸調整用ナットを螺着し、支持棒挿通穴に支持棒の先端部を相対的に挿通し、外装材受桟の支持棒取付部の側方へ露出する不陸調整用ナットの鍔を操作して躯体壁面に対する外装材受桟の不陸調整を行い、そして、支持棒の先端部に締付ナットを螺着して鍔に支持棒取付部を締め付ける様にした。
【発明の効果】
【００１１】
本発明の第１の態様に係る外装材支持金物によれば、外装材を取り付ける外装材受桟の不陸調整を行う際、外装材受桟の支持棒取付部の支持棒挿通穴から表側に露出する不陸調整用ナットの面取構造部を操作して不陸調整でき、また、支持棒の先端部に外装材受桟を固定する際、表側に露出する不陸調整用ナットの雄螺子部に締付ナットを締め付けるだけで固定できるため、外断熱の壁を施工するにあたり、施工性を飛躍的に高めることが出来る。
【００１２】
また、本発明の第２の態様に係る外装材支持金物によれば、外装材を取り付ける外装材受桟の不陸調整を行う際、外装材受桟の支持棒取付部の側方へ露出する不陸調整用ナットの鍔を操作して不陸調整でき、また、支持棒の先端部に外装材受桟を固定する際、表側から支持棒の先端部に締付ナットを締め付けるだけで固定できるため、外断熱の壁を施工するにあたり、施工性を飛躍的に高めることが出来る。
【発明を実施するための最良の形態】
【００１３】
本発明に係る外装材支持金物（以下の実施形態の説明において「支持金物」と言う。）の実施形態を図１〜図９に基づいて説明する。本発明の支持金物は、図１に示す様に、躯体壁（７）の外側に断熱材（８）を介して外装材（９）が取り付けられる外断熱工法のコンクリート建物において前記の外装材（９）を支持するための金物である。
【００１４】
上記のコンクリート建物としては、鉄骨コンクリート造、鉄筋コンクリート造、鉄骨軽量コンクリート造の他、ＡＬＣ造（気泡発泡養生コンクリート造）等の建物が挙げられる。外断熱工法のコンクリート建物においては、図示する様に、躯体壁（７）の外側に断熱材（８）が配置され、当該断熱材の更に外側に外装材（９）が配置される。
【００１５】
断熱材（８）は、軽量で耐火性に優れ、しかも、十分な通気性を有する軽量の素材によ
って構成される。例えば、断熱材（８）としては、グラスウール等の不燃性の無機繊維系断熱材、あるいは、ポリエステルファイバー、ポリプロピレンファイバー、セルロースファイバー等の有機繊維系断熱材が使用される。断熱材（８）がグラスウールの場合、その密度規格は２４〜６４Ｋｇ／ｍ３程度、厚さは２５〜２００ｍｍ程度とされる。更に、断熱材（８）は２層で構成されてもよく、また、発泡系断熱材でもよい。
【００１６】
また、躯体壁（７）に取り付けられる外装材（９）としては、上記の建物に適用可能な窯業系、鉄板系、アルミ板系、複合材料系などのいわゆる外装パネルが挙げられる。外装材（９）の外形寸法は、通常、縦が３０〜１１０ｃｍ程度、横が４５〜３００ｃｍ程度であり、例えばアルミ板系の外装パネルの場合の板材の厚さは、０．５〜２．５ｍｍ程度である。
【００１７】
本発明の態様としては、主に不陸調整用ナット（３）の違いにより第１と第２の２つ態様が挙げられる。先ず、本発明の第１の態様に係る支持金物について図１〜図６に基づいて説明すると、斯かる支持金物は、図１に示す様に、少なくとも先端部が雄螺子に形成され且つ躯体壁（７）の壁面（以下「躯体壁面」と言う。）に対して上下および左右に一定間隔で配列されて略垂直に固定される多数の支持棒（１）と、躯体壁面に対して左右に一定間隔で配列され且つ躯体壁面から断熱材（８）の厚さに相当する間隔を隔てて支持棒（１）の先端部に支持される縦桟である多数の外装材受桟（２）と、躯体壁面からの間隔を調整して支持棒（１）の先端部に外装材受桟（２）を固定するための不陸調整用ナット（３）及び締付ナット（４）（図３参照）とから主に構成される。
【００１８】
支持棒（１）は、図２及び図３に示す様に、基端部を躯体壁（７）にアンカー固定し、先端部で上記の外装材受桟（２）を支持するため、通常は両端部が雄螺子に形成されたいわゆる寸切ボルトによって構成される。支持棒（１）の直径は８〜１２ｍｍ程度、長さは５〜２５ｃｍ程度である。図２は、支持棒（１）が躯体壁（７）にアンカー固定された状態を示しており、支持棒（１）の基端部には、回り止めナット（１１）が螺着される。躯体壁（７）に対する支持棒（１）の配列ピッチは、上下方向が２５〜１００ｃｍ程度、左右方向が３０〜１００ｃｍ程度である。
【００１９】
本発明においては、不陸調整用ナット（３）及び締付ナット（４）の操作を容易にするため、外装材受桟（２）として、不陸調整用ナット（３）の先端側および締付ナット（４）が表側に露出する構造のものが使用される。すなわち、図３に示す様に、外装材受桟（２）は、支持棒（１）の先端部を挿通可能な支持棒挿通穴（２ｐ）が設けられた支持棒取付部（２１）と、正面視した場合（躯体壁（７）に対峙する位置から視た場合）に支持棒挿通穴（２ｐ）と重畳しない位置に設けられて表側に外装材が装着される外装材受部（２２）とを有している。そして、図２及び図３に示す様に、外装材受桟（２）は、支持棒（１）の先端部に不陸調整用ナット（３）を螺着し、支持棒取付部（２１）の支持棒挿通穴（２ｐ）に支持棒（１）の先端部を相対的に挿通し、更に締付ナット（４）で不陸調整用ナット（３）に支持棒取付部（２１）を締め付けることによって支持棒（１）の先端部に固定される様になされている。
【００２０】
更に具体的には、外装材受桟（２）は、例えば図３に符号（２Ａ）で示す様に、その長手方向に直交する断面がクランク状に折曲された形状の鋼またはアルミニウムの型材によって構成され、その張出した一片部を支持棒取付部（２１）とされ、張出した他の一片部を外装材受部（２２）とされる。外装材受桟（２Ａ）の板厚は１〜３ｍｍ程度である。そして、上記の支持棒挿通穴（２ｐ）は、後述する不陸調整用ナット（３）の雄螺子部（３２）及び面取構造部（３３）が通過する大きさ、例えば直径１５〜３０ｍｍ程度に開口され、支持棒取付部（２１）の長手方向に沿って例えば２５〜１００ｃｍ程度のピッチで配置される。なお、図示しないが、外装材受桟（２Ａ）は、強度を高めるため、その長手方向に沿った各側縁が内側に折曲された構造を備えていてもよい。
【００２１】
また、外装材受桟（２）としては、締付ナット（４）が表側に露出して容易に締付操作を行える限り、各種の構造の桟を採用でき、例えば図４及び図５にそれぞれ符号（２Ｂ）
及び（２Ｃ）で示す様な形態のものが挙げられる。図４に示す外装材受桟（２Ｂ）は、その長手方向に直交する断面が略コ字状で且つその開口部の両端から外側へ鍔を張り出したハット型の形状の型材によって構成されており、略コ字状になされた溝の底面部を支持棒取付部（２１）とされ、外側へ張り出した鍔状の部位を外装材受部（２２）とされている。
【００２２】
また、図５に示す外装材受桟（２Ｃ）は、断面が略コ字状で且つその開口部の両端を更に内側へ折り返した略Ｃ字型の形状の型材よって構成されており、略コ字状になされた溝の底面部を支持棒取付部（２１）とされ、内側への折返しの部位を外装材受部（２２）とされている。そして、図４及び図５に示す外装材受桟（２）においても、支持棒取付部（２１）に上記と同様の支持棒挿通穴（２ｐ）が設けられる。
【００２３】
本発明においては、躯体壁面に対する外装材受桟（２）の不陸調整、すなわち、外装材受桟（２）の躯体壁面からの間隔（図２における躯体壁（７）と外装材受桟（２）の間の離間距離）の調整を容易にするため、特定の構造の不陸調整用ナット（３）が使用される。斯かる不陸調整用ナット（３）は、図６に示す様に、外装材受桟（２）の支持棒取付部（２１）の支持棒挿通穴（２ｐ）を通過しない大きさで当該不陸調整用ナットの基端部に形成された支持棒取付部受止め用の鍔（３１）と、前記の支持棒挿通穴（２ｐ）を通過する大きさで鍔（３１）の表側に隣接して当該不陸調整用ナットの外周部に形成された締付ナット螺着用の雄螺子部（３２）と、前記の支持棒挿通穴（２ｐ）を通過する大きさで当該不陸調整用ナットの先端外周部に形成された操作用の面取構造部（３３）とを有している。
【００２４】
すなわち、不陸調整用ナット（３）は、雌螺子として構成された通常のナットの外周部に上記の鍔（３１）、雄螺子部（３２）及び面取構造部（３３）が設けられた構造を有する。鍔（３１）は、支持棒（１）に外装材受桟（２）を取り付ける際、外装材受桟（２）の支持棒取付部（２１）が突き当たり、外装材受桟（２）の躯体壁（７）方向への移動を規制する部位であり、支持棒取付部（２１）の支持棒挿通穴（２ｐ）よりも大きな直径、例えば２０〜４０ｍｍ程度の直径に形成される。
【００２５】
雄螺子部（３２）は、鍔（３１）と協働して外装材受桟（２）の支持棒取付部（２１）を固定する締付ナット（４）が螺着される螺子であり、支持棒挿通穴（２ｐ）よりも小さな直径、例えば呼び径で１２〜３０ｍｍ程度の直径に形成される。そして、面取構造部（３３）は、支持棒（１）に対する不陸調整用ナット（３）の位置を調節するために表側から操作される操作用の部位であり、スパナ等の汎用工具で操作し得る様に、例えば、当該不陸調整用ナットの中心線に直交する断面が正六角の面取形状に形成される。
【００２６】
上記の不陸調整用ナット（３）は、圧造、切削加工によって製作することが出来る。本発明においては、外装材受桟（２）を取り付けるにあたり、上記の不陸調整用ナット（３）を使用することにより、表側から簡単に不陸調整することが出来る。なお、不陸調整用ナット（３）の基端とは、支持棒（１）に螺着した状態において躯体壁（７）側の端部を指し、先端とは、前記の状態において躯体壁（７）と反対側の端部を指す。
【００２７】
また、本発明の支持金物は、鉛直荷重に対する強度を高めるため、図１に示す様に、支持棒（１）の基端部から当該支持棒の先端側の外装材受桟（２）に亙って傾斜状態に架設される補強バー（５）を備えていてもよい。補強バー（５）は、支持棒（１）の上下方向の１つの配列に対して少なくとも１本設けられ、好ましくは１つの外装材受桟（２）に対して少なくとも１本が対応する様に設けられる。
【００２８】
補強バー（５）の一端は、外装材受桟（２）の支持棒（１）の先端部から離れた位置にタッピングスクリュー等のネジを利用して固定され、補強バー（５）の他端は、前記の支持棒（１）の基端部に回り止めナット（１１）を利用して固定される。本発明においては、上記の補強バー（５）を設けることにより、支持棒（１）、外装材受桟（２）及び補強
バー（５）で縦方向にトラス構造を構成できるため、躯体壁（７）における支持棒（１）の支点、および、支持棒（１）と外装材受桟（２）の接合点の鉛直荷重に対する強度を高めることが出来る。なお、上記の補強バー（５）については、特公平８−１６３８６号、特開２００４−３３５３号の各公報に開示されている。
【００２９】
更に、本発明の支持金物は、水平荷重対する強度を高めるため、図１に示す様に、少なくとも１つの外装材受桟（２）から躯体壁面に亙って略水平で且つ躯体壁面に対して傾斜状態に架設される横振れ防止バー（６）を備えていてもよい。横振れ防止バー（６）は、図示する様に、強度を高める観点から、１つの外装材受桟（２）に対して左右の斜め方向に各１本を１組として配置されるが、躯体壁面に取り付けられる外装材（９）の全体の質量を考慮し、１つの躯体壁面に対して複数組設けられるのが好ましい。
【００３０】
通常、横振れ防止バー（６）の一端は、支持棒（１）の先端部の外装材受桟（２）裏面側に上記の不陸調整用ナット（３）を利用して固定され、横振れ防止バー（６）の他端は、前記の支持棒（１）に水平方向に隣接する他の支持棒（１）の基端部に回り止めナット（１１）を利用して固定される。本発明においては、上記の横振れ防止バー（６）を設けることにより、支持棒（１）、躯体壁（７）及び横振れ防止バー（６）で水平方向にトラス構造を構成できるため、躯体壁（７）における支持棒（１）の支点、および、支持棒（１）と外装材受桟（２）の接合点の横振れに対する強度を高めることが出来る。なお、上記の横振れ防止バー（６）については、特開２００４−３３５３号公報に開示されている。
【００３１】
上記の様な本発明の支持金物を利用して外断熱の壁を施工するには、先ず、躯体壁（７）に支持棒（１）を上下方向および水平方向に一定のピッチでアンカー固定する。次いで、支持棒（１）を利用してグラスウール等の断熱材（８）を躯体壁（７）の表面に配置する。具体的には、躯体壁（７）に断熱材（８）を押し付け、断熱材（８）に支持棒（１）を相対的に貫通させることにより、断熱材（８）を躯体壁（７）の表面に貼り付ける。
【００３２】
断熱材（８）を敷設した後は、支持棒（１）の先端部に外装材受桟（２）を固定する。外装材受桟（２）の取付においては、先ず、断熱材（８）の表面に突出した各支持棒（１）の先端部に不陸調整用ナット（３）を螺着する。そして、上下方向の支持棒（１）の配列の各々に対して外装材受桟（２）を取り付ける。その場合、支持棒（１）の先端へ外装材受桟（２）を押し付けることにより、外装材受桟（２）の支持棒取付部（２１）の支持棒挿通穴（２ｐ）に支持棒（１）の先端部を相対的に挿通した後、更に支持棒（１）の先端側から締付ナット（４）をあてがい、不陸調整用ナット（３）の雄螺子部（３２）に締付ナット（４）を緩く螺着することにより、支持棒（１）の先端部に外装材受桟（２）を一時的に仮止めする。
【００３３】
次いで、例えば躯体壁（７）の両端に位置する２つの外装材受桟（２）の位置決めを行う。すなわち、上記の２つの外装材受桟（２）が正確に鉛直で且つ躯体壁（７）の設計基準面（設計上の躯体壁面）から一定距離だけ離間した状態となる様に、換言すれば、前記の２つの外装材受桟（２）が平行かつ並列でしかも鉛直となる様に、不陸調整用ナット（３）を操作してこれらの不陸を調整する。不陸調整においては、外装材受桟（２）の支持棒取付部（２１）の支持棒挿通穴（２ｐ）から表側に露出する不陸調整用ナット（３）の面取構造部（３３）を操作して躯体壁面に対する外装材受桟（２）の離間距離を調整する。そして、支持棒挿通穴から表側に露出する不陸調整用ナット（３）の雄螺子部（３２）に締付ナット（４）を締め込んで鍔（３１）に支持棒取付部（２１）を締め付けることにより、支持棒（１）に外装材受桟（２）を固定する。
【００３４】
続いて、上記の２つの外装材受桟（２）を基準として、これらに揃う様に他の外装材受桟（２）の不陸を不陸調整用ナット（３）の操作により調整して全ての外装材受桟（２）を面一の状態にする。すなわち、先の２つの外装材受桟（２）の場合と同様にして、表側に露出する不陸調整用ナット（３）の面取構造部（３３）を操作して各外装材受桟（２）の不陸調整を行う。そして、表側に露出する不陸調整用ナット（３）の雄螺子部（３２）に締付ナット（４）を螺着して鍔（３１）に支持棒取付部（２１）を締め付けることにより、各外装材受桟（２）を各支持棒（１）の先端部に固定する。上記の様に各外装材受桟（２）を固定した後は、タッピングスクリュー等のネジを使用し、外装材受桟（２）に外装パネル等の外装材（９）を固定する。
【００３５】
上記の様に、本発明の支持金物において、支持棒（１）に予め螺着された不陸調整用ナット（３）は、支持棒（１）に外装材受桟（２）を取り付ける際、鍔（３１）が外装材受桟（２）の支持棒取付部（２１）の突当りとなって外装材受桟（２）の躯体壁面からの距離を規定し、また、同時に、外装材受桟（２）は、その支持棒取付部（２１）の支持棒挿通穴（２ｐ）が不陸調整用ナット（３）の雄螺子部（３２）及び面取構造部（３３）を相対的に通過させてこれら雄螺子部（３２）及び面取構造部（３３）を表側に露出させる。そして、不陸調整用ナット（３）の雄螺子部（３２）及び面取構造部（３３）が露出する構造は、外装材受桟（２）正面からの外装材受桟（２）の不陸調整の操作、および、締付ナット（４）による締付操作を可能にする。
【００３６】
すなわち、本発明の第１の態様おいては、不陸調整用ナット（３）の先端側の面取構造部（３３）及び締付ナット（４）が表側に露出する特定の構造の外装材受桟（２）を使用し、しかも、外装材受桟（２）の支持棒取付部（２１）の支持棒挿通穴（２ｐ）から突出する部位に操作用の面取構造部（３３）が形成された特定の構造の不陸調整用ナット（３）を使用する。従って、各外装材受桟（２）の不陸調整を行う際、スパナ等の汎用工具を使用し、支持棒挿通穴（２ｐ）から表側に露出する不陸調整用ナット（３）の面取構造部（３３）を直接操作して不陸を調整でき、また、支持棒（１）の先端部に外装材受桟（２）を固定する際、表側に露出する不陸調整用ナット（３）の雄螺子部（３２）に締付ナット（４）を締め付けるだけで外装材受桟（２）を固定できる。その結果、外断熱の壁を施工するにあたり、施工性を飛躍的に高めることが出来る。
【００３７】
次に、本発明の第２の態様に係る支持金物について図１及び図７〜図９に基づいて説明する。第２の態様に係る支持金物は、基本的な構成要素は前述の態様におけるのと略同様であり、図１に示す様に、少なくとも先端部が雄螺子に形成され且つ躯体壁面に対して上下および左右に一定間隔で配列されて略垂直に固定される多数の支持棒（１）と、躯体壁面に対して左右に一定間隔で配列され且つ躯体壁面から断熱材（８）の厚さに相当する間隔を隔てて支持棒（１）の先端部に支持される縦桟である多数の外装材受桟（２）と、躯体壁面からの間隔を調整して支持棒（１）の先端部に外装材受桟（２）を固定するための不陸調整用ナット（３）及び締付ナット（４）（図７参照）とから主に構成される。
【００３８】
上記の第２の態様においては、図７に示す様に、支持棒（１）の構成、躯体壁（７）に対する支持棒（１）の配置、外装材受桟（２）の材料および外装材受桟（２）の外形形状は前述の態様と同様であるが、外装材受桟（２）の支持棒取付部（２１）に設けられた支持棒挿通穴（２ｒ）の大きさ、不陸調整用ナット（３Ａ）の構造、締付ナット（４）を支持棒（１）の先端部に螺着する点が前述の態様と相違する。
【００３９】
具体的には、外装材受桟（２）は、支持棒（１）の先端部を挿通可能な支持棒挿通穴（２ｒ）が設けられた支持棒取付部（２１）と、正面視した場合に支持棒挿通穴（２ｒ）と重畳しない位置に設けられて表側に外装材（９）が装着される外装材受部（２２）とを有している。そして、支持棒取付部（２１）の支持棒挿通穴（２ｒ）は、支持棒（１）の先端部を緩く挿通可能な大きさ、例えば直径９〜１３ｍｍ程度に開口され、前述の態様と同様に支持棒取付部（２１）の長手方向に沿って２５〜１００ｃｍ程度のピッチで配置される。
【００４０】
外装材受桟（２）の外形は、前述の態様と同様に各種の形状に設計できる。例えば図７に符号（２Ａ）で示す様に、外装材受桟（２）は、その長手方向に直交する断面がクランク状に折曲された形状に形成され、その張出した一片部を支持棒取付部（２１）とされ、張出した他の一片部を外装材受部（２２）とされる。斯かる形状は図３の態様と同様である。また、外装材受桟（２）は、図４に符号（２Ｂ）で示す様なハット型の形状、あるいは、図５に符号（２Ｃ）で示す様な略Ｃ字型の形状に形成されてもよい。
【００４１】
締付ナット（４）としては、支持棒（１）の先端部に螺着可能なものが使用される。すなわち、第２の態様の支持金物は、図７及び図９に示す様に、不陸調整用ナット（３Ａ）が外装材受桟（２）の表側に露出しない構造のものであり、外装材受桟（２）は、支持棒（１）の先端部に不陸調整用ナット（３）を螺着し、支持棒取付部（２１）の支持棒挿通穴（２ｒ）に支持棒（１）の先端部を相対的に挿通し、支持棒（１）の先端部に螺着した締付ナット（４）で支持棒取付部（２１）を不陸調整用ナット（３）に締め付けることによって支持棒（１）の先端部に固定される様になされている。
【００４２】
本発明においては、躯体壁面に対する外装材受桟（２）の不陸調整を容易にするため、特定の構造の不陸調整用ナット（３Ａ）が使用される。斯かる不陸調整用ナット（３Ａ）は、図８に示す様に、外装材受桟（２）の支持棒取付部（２１）の幅（当該外装材受桟の長手方向に直交する方向の長さ）よりも大きな外径で当該不陸調整用ナットの先端部に形成された操作用で且つ外装材受桟受止め用の鍔（３６）を有している。
【００４３】
具体的には、不陸調整用ナット（３Ａ）は、図９に示す様に、支持棒（１）の先端部の雄螺子に実質的に螺合する雌螺子部（３７）を備えており、鍔（３６）は、雌螺子部（３７）の先端（支持棒（１）に不陸調整用ナット（３Ａ）を螺着した状態において躯体壁（７）と反対側の端部）に設けられる。そして、図８に示す様に、鍔（３６）は、外装材受桟（２）を受け止め且つ外装材受桟（２）の表側から不陸調整操作を行うため、不陸調整用ナット（３Ａ）を支持棒（１）に取り付けた状態において当該鍔の一部が支持棒取付部（２１）の側方へはみ出す様な大きさに形成される。
【００４４】
また、図８に示す様に、正面視した場合の鍔（３６）の形状は、支持棒取付部（２１）の幅よりも大きな外径であれば、円形、多角形などの適宜の形状に設計できるが、不陸調整の際に指先などで簡単に不陸調整用ナット（３Ａ）を回動操作し得る様に、例えば星型の形状に形成される。なお、本発明において、鍔（３６）の外径とは、正面視した場合の中心から外郭までの最大長さの２倍を言い、通常、鍔（３６）の外径は、２０〜４０ｍｍ程度とされる。上記の不陸調整用ナット（３Ａ）は、プレス加工によって製作することが出来る。
【００４５】
また、第２の態様に係る支持金物は、鉛直荷重に対する強度を高めるため、図１に示す様にな補強バー（５）を備えていてもよい。補強バー（５）の構成は、前述の態様と同様である。更に、第２の態様に係る支持金物は、水平荷重対する強度を高めるため、図１に示す様な横振れ防止バー（６）を備えていてもよい。横振れ防止バー（６）の構成も、前述の態様と同様である。横振れ防止バー（６）の一端は、支持棒（１）の先端部の外装材受桟（２）裏面側に不陸調整用ナット（３Ａ）を利用して固定され、横振れ防止バー（６）の他端は、支持棒（１）に水平方向に隣接する他の支持棒（１）の基端部に回り止めナット（１１）を利用して固定される。
【００４６】
上記の様な本発明の支持金物を利用して外断熱の壁を施工するには、前述の態様と同様に、先ず、躯体壁（７）に支持棒（１）を上下方向および水平方向に一定のピッチでアンカー固定した後、支持棒（１）を利用して躯体壁（７）の表面にグラスウール等の断熱材（８）を貼り付け、次いで、支持棒（１）の先端部に外装材受桟（２）を固定する。
【００４７】
外装材受桟（２）の取付においては、先ず、断熱材（８）の表面に突出した各支持棒（１）の先端部に不陸調整用ナット（３Ａ）を螺着した後、上下方向の支持棒（１）の配列の各々に対して外装材受桟（２）を取り付ける。外装材受桟（２）の取付においては、支持棒（１）の先端へ外装材受桟（２）を押し付けて外装材受桟（２）の支持棒取付部（２１）の支持棒挿通穴（２ｒ）に支持棒（１）の先端部を相対的に挿通した後、支持棒（１）の先端部の螺子部に締付ナット（４）を緩く螺着することにより、支持棒（１）の先端部に外装材受桟（２）を一時的に仮止めする。
【００４８】
次いで、例えば躯体壁（７）の両端に位置する２つの外装材受桟（２）について、不陸調整して位置決めを行い、支持棒（１）の先端部に固定した後、これら２つの外装材受桟（２）を基準として、他の外装材受桟（２）について、不陸を調整して全ての外装材受桟（２）を面一の状態にし、支持棒（１）の先端部に固定する。
【００４９】
外装材受桟（２）の上記の不陸調整においては、外装材受桟（２）の表側から視て当該外装材受桟の支持棒取付部（２１）の側方へ露出する不陸調整用ナット（３Ａ）の鍔（３６）を指先などで回動操作することにより、躯体壁面に対する外装材受桟（２）の離間距離を調整する。また、外装材受桟（２）の支持棒（１）への固定においては、外装材受桟（２）の表側から支持棒（１）の先端部に締付ナット（４）を螺着し、不陸調整用ナット（３Ａ）の鍔（３６）に支持棒取付部（２１）を締め付けることにより、支持棒（１）の先端部に外装材受桟（２）を固定する。そして、各外装材受桟（２）を固定した後は、前述の態様と同様に、タッピングスクリュー等のネジを使用し、外装材受桟（２）に外装パネル等の外装材（９）を固定する。
【００５０】
上記の様に、本発明の支持金物において、支持棒（１）に予め螺着された不陸調整用ナット（３Ａ）は、支持棒（１）に外装材受桟（２）を取り付ける際、鍔（３６）が外装材受桟（２）の支持棒取付部（２１）の突当りとなって外装材受桟（２）の躯体壁面からの距離を規定し、また、同時に、不陸調整用ナット（３Ａ）の鍔（３６）の外径が外装材受桟（２）の支持棒取付部（２１）よりも大きく形成された構造は、支持棒（１）の先端部に外装材受桟（２）を配置した際、不陸調整用ナット（３Ａ）の表側からの操作を可能にする。そして、外装材受桟（２）の支持棒取付部（２１）が露出する構造は、外装材受桟（２）正面からの締付ナット（４）による締付操作を可能にする。
【００５１】
すなわち、本発明の第２の態様おいては、支持棒取付部（２１）が表側に露出する特定の構造の外装材受桟（２）を使用し、しかも、外装材受桟（２）の支持棒取付部（２１）の側方へ鍔（３６）がはみ出す特定の構造の不陸調整用ナット（３Ａ）を使用する。従って、各外装材受桟（２）の不陸調整を行う際、外装材受桟（２）の支持棒取付部（２１）の側方へ露出する不陸調整用ナット（３Ａ）の鍔（３６）を指先などで直接操作して不陸を調整でき、また、支持棒（１）の先端部に外装材受桟（２）を固定する際、表側から支持棒（１）の先端部に締付ナット（４）を締め付けるだけで外装材受桟（２）を固定できる。その結果、外断熱の壁を施工するにあたり、施工性を飛躍的に高めることが出来る。
【００５２】
次に、参考例として、外装材受桟の不陸調整および固定を表側から施工可能な支持金物の他の形態について図１０〜図１２に基づいて説明する。図１０に示す外装材支持金物は、図１に示す前述の支持金物と同様に、躯体壁（７）の外側に断熱材（８）を介して外装材（９）が取り付けられる外断熱工法のコンクリート建物において外装材（９）を支持する金物であり、少なくとも先端部が雄螺子に形成され且つ躯体壁面に対して上下および左右に一定間隔で配列されて略垂直に固定される多数の支持棒（１）と、躯体壁面に対して左右に一定間隔で配列され且つ躯体壁面から断熱材（８）の厚さに相当する間隔を隔てて支持棒（１）の先端部に支持される多数の外装材受桟（２）とを備えている。
【００５３】
そして、上記の支持金物は、前述の支持金物と同様に、鉛直荷重に対する強度を高めるため、支持棒（１）の基端部から当該支持棒の先端側の外装材受桟（２）に亙って傾斜状態に架設される補強バー（５）を備えているのが好ましく、更に、水平荷重対する強度を高めるため、少なくとも１つの外装材受桟（２）から躯体壁面に亙って略水平で且つ躯体壁面に対して傾斜状態に架設される横振れ防止バー（６）を備えているのが好ましい。補強バー（５）及び横振れ防止バー（６）の構成、設置態様は、前述の支持金物におけるのと同様である。
【００５４】
上記の支持金物においては、施工性を高めるため、外装材受桟（２）は、図１１に示す様に、支持棒（１）の先端部を挿通可能な支持棒挿通穴（２ｐ）が設けられた支持棒取付部（２１）と、正面視した場合に支持棒挿通穴（２ｐ）と重畳しない位置に設けられて表側に外装材（９）が装着される外装材受部（２２）とを有しており、そして、支持棒（１）の先端部に不陸調整用ナット（３Ｂ）を螺着し、支持棒挿通穴（２ｐ）に支持棒（１）の先端部を相対的に挿通し、更に固定楔（４Ｂ）で不陸調整用ナット（３Ｂ）に外装材受桟（２）の支持棒取付部（２１）を締め付けることによって支持棒（１）の先端部に固定される様になされている。
【００５５】
固定楔（４Ｂ）は、図１１に示す様に、奥端部が半円弧状に形成され且つ後述の不陸調整用ナット（３Ｂ）の縮径部（３４）が嵌合する切欠きを備えている。そして、不陸調整用ナット（３Ｂ）は、図１２に示す様に、上記の支持棒挿通穴（２ｐ）を通過しない大きさで当該不陸調整用ナットの基端部に形成された外装材受桟受止め用の鍔（３１）と、支持棒挿通穴（２ｐ）を通過する大きさで鍔（３１）に隣接して当該不陸調整用ナットの外周部に順次に形成された縮径部（３４）及び拡径部（３５）と、支持棒挿通穴（２ｐ）を通過する大きさで当該不陸調整用ナットの先端外周部に形成された操作用の面取構造部（３３）とを備えている。不陸調整用ナット（３Ｂ）の鍔（３１）及び面取構造部（３３）は前述の不陸調整用ナット（３）におけるのと同様である。
【００５６】
上記の支持金物を使用する場合は、支持棒（１）の先端部に不陸調整用ナット（３Ｂ）を取り付けた後、外装材受桟（２）の支持棒取付部（２１）の支持棒挿通穴（２ｐ）に支持棒（１）の先端部を相対的に挿通することにより、支持棒（１）の先端部に外装材受桟（２）を取り付け、次いで、前記の支持棒挿通穴（２ｐ）から表側に露出する不陸調整用ナット（３Ｂ）の縮径部（３４）に固定楔（４Ｂ）を差し込むことにより、支持棒（１）の先端部に外装材受桟（２）を固定する。上記の施工方法は、固定楔（４Ｂ）を使用する以外は前述の支持金物の場合と同様である。すなわち、図１０及び図１１に示す支持金物は、不陸調整用ナット（３Ｂ）の構造、および、固定楔（４Ｂ）によって外装材受桟（２）を固定する点が前述の支持金物と相違する。
【００５７】
そして、上記の支持金物も、不陸調整用ナット（３Ｂ）の縮径部（３４）及び面取構造部（３３）が表側に露出する特定の構造の外装材受桟（２）を使用し、しかも、外装材受桟（２）の支持棒取付部（２１）の支持棒挿通穴（２ｐ）から突出する先端外周部に面取構造部（３３）が形成された特定の構造の不陸調整用ナット（３）を使用するため、外装材受桟（２）の不陸を調整する場合、スパナ等の汎用工具を使用し、支持棒挿通穴（２ｐ）から表側に露出する不陸調整用ナット（３）の面取構造部（３３）を直接操作して不陸調整を行うことが出来、また、表側に露出する外装材受桟（２）の支持棒取付部（２１）を固定楔（４Ｂ）で締め付けて外装材受桟（２）を支持棒（１）に固定することが出来る。従って、上記の支持金物によれば、外断熱の壁を施工するにあたり、施工性を一層高めることが出来る。
【図面の簡単な説明】
【００５８】
【図１】本発明の外装材支持金物および当該外装材支持金物が使用された壁構造を一部破断して示す斜視図である。
【図２】本発明の第１の態様に係る外装材支持金物の使用態様を示す壁構造の部分的な縦断面図である。
【図３】本発明の第１の態様に係る外装材支持金物の一例の構成要素を展開して示す斜視図である。
【図４】本発明の第１の態様に係る外装材支持金物の他の例の構成要素を展開して示す斜視図である。
【図５】本発明の第１の態様に係る外装材支持金物の更に他の例の構成要素を展開して示す斜視図である。
【図６】本発明の第１の態様に係る外装材支持金物に使用される不陸調整用ナットの構造を示す側面図および中心線に沿った断面図である。
【図７】本発明の第２の態様に係る外装材支持金物の一例の構成要素を展開して示す斜視図である。
【図８】本発明の第２の態様に係る外装材支持金物に使用される不陸調整用ナットの構造を示す正面図である。
【図９】本発明の第２の態様に係る外装材支持金物に使用される不陸調整用ナットの構造を示す側面図である。
【図１０】参考例としての他の形態の外装材支持金物および当該外装材支持金物が使用された壁構造を一部破断して示す斜視図である。
【図１１】図１０における外装材支持金物の構成要素を展開して示す斜視図である。
【図１２】図１０における外装材支持金物に使用される不陸調整用ナットの構造を示す側面図および中心線に沿った断面図である。
【符号の説明】
【００５９】
１  ：支持棒
２  ：外装材受桟
２ｐ：支持棒挿通穴
２ｒ：支持棒挿通穴
２１：支持棒取付部
２２：外装材受部
３  ：不陸調整用ナット
３Ａ：不陸調整用ナット
３１：鍔
３２：雄螺子部
３３：面取構造部
３６：鍔
３７：雌螺子部
４  ：締付ナット
５  ：補強バー
６  ：横振れ防止バー
７  ：躯体壁
８  ：断熱材
９  ：外装材
【図１】
2006097455.tif 000003
【図２】
2006097455.tif 000004
【図３】
2006097455.tif 000005
【図４】
2006097455.tif 000006
【図５】
2006097455.tif 000007
【図６】
2006097455.tif 000008
【図７】
2006097455.tif 000009
【図８】
2006097455.tif 000010
【図９】
2006097455.tif 000011
【図１０】
2006097455.tif 000012
【図１１】
2006097455.tif 000013
【図１２】
2006097455.tif 000014